(57)【要約】【課題】複数の配線基板のそれぞれを再利用することのできる撮像装置及びこの撮像装置を備えた携帯電子機器を提供することを課題とする。【解決手段】重なり合う配線基板６０，６１は、対向面に配線及びその配線に接続された電極部を有し、ハウジング２の挿入口に配線基板６０，６１を挿入した状態で、配線基板６０，６１の最上面と最下面とを弾性力で挟持する挟持手段２６で配線基板６０，６１の最上面と最下面を挟持して、配線基板６０，６１の電極部同士を接触させて電気的に接続する。【選択図】図１
2012165304.tif 000002
【特許請求の範囲】
【請求項１】
重なり合う複数の配線基板と、レンズ鏡筒が一体化され又はレンズ鏡筒が取付けられ、前記複数の配線基板をレンズの光軸に対して直交するように挿入する挿入口、及び該挿入口に挿入された前記複数の配線基板の最上面と最下面とを弾性力で挟持する挟持手段を有するハウジングとを備え、前記複数の配線基板は、少なくとも隣り合う配線基板と対向する面に配線及びその配線に接続された電極部を有し、前記ハウジングの挿入口に前記複数の配線基板を挿入した状態で、挟持手段で前記複数の配線基板の最上面と最下面とを挟持することにより、隣り合う配線基板の電極部同士を接触させて電気的に接続することを特徴とする撮像装置。
【請求項２】
前記複数の配線基板のうち、前記レンズ鏡筒に最も近い配線基板、又は該配線基板の次に前記レンズ鏡筒に近い配線基板のいずれかに撮像素子を設けたことを特徴とする請求項１に記載の撮像装置。
【請求項３】
前記挟持手段は、前記ハウジングの挿入口から奥側へ前記複数の配線基板を挿入する経路中に、該複数の配線基板の最下面をガイドし、且つレンズの光軸方向における位置決めを行う下面ガイド部と、前記複数の配線基板の最上面を前記レンズの光軸方向に押圧する押圧部とを備えて構成されることを特徴とする請求項１又は請求項２に記載の撮像装置。
【請求項４】
前記挟持手段は、前記ハウジングの挿入口から奥側へ前記複数の配線基板を挿入する経路中に、該複数の配線基板の最上面をガイドし、且つレンズの光軸方向における位置決めを行う上面ガイド部と、前記複数の配線基板の最下面を前記レンズの光軸方向に押圧する押圧部とを備えて構成されることを特徴とする請求項１又は請求項２に記載の撮像装置。
【請求項５】
前記複数の配線基板の最上面に撮像素子を設け、前記挟持手段は、前記ハウジングの挿入口から奥側へ前記複数の配線基板を挿入する経路中に、該複数の配線基板の最下面をガイドし、且つレンズの光軸方向における位置決めを行う下面ガイド部と、前記複数の配線基板の最上面に替えて、前記撮像素子の上面を前記レンズの光軸方向に押圧する押圧部とを備えて構成されることを特徴とする請求項１に記載の撮像装置。
【請求項６】
前記挟持手段の押圧部は、前記複数の配線基板に対して、該複数の配線基板の挿入方向に沿って面接触するように構成したものであることを特徴とする請求項３又は請求項４に記載の撮像装置。
【請求項７】
前記挟持手段の押圧部は、前記複数の配線基板に対して、該複数の配線基板の挿入方向に沿って点接触するように構成したものであることを特徴とする請求項３又は請求項４に記載の撮像装置。
【請求項８】
前記ハウジングは、前記複数の配線基板の一部の側面を当接する側面部と、該側面部に対向する位置に設けられ、前記一部の側面とは別の側面に部分的に付勢当接することにより、前記一部の側面を側面部に付勢当接する側面押圧部とを有することを特徴とする請求項１乃至請求項７のいずれか一項に記載の撮像装置。
【請求項９】
前記複数の配線基板の重ね合わせられた電極部間の接触圧力が４．９Ｎ乃至１９．６Ｎであることを特徴とする請求項１乃至請求項８のいずれか一項に記載の撮像装置。
【請求項１０】
前記複数の配線基板の重ね合わせられて互いに接触する電極部のうち、一方の電極部の表面積が他方の電極部の表面積よりも大きいことを特徴とする請求項１乃至請求項９のいずれか一項に記載の撮像装置。
【請求項１１】
請求項１乃至請求項１０の何れか一項の撮像装置を備えたことを特徴とする携帯電子機器。
【発明の詳細な説明】
【技術分野】
【０００１】
本発明は、デジタルカメラ、携帯電話等の携帯電子機器に用いる撮像装置及びこの当該携帯電子機器に関する。
【背景技術】
【０００２】
近年、被写体を撮影し、静止画や動画等の画像データを取り込むことができる携帯電子機器（例えば、デジタルカメラや携帯電話等）が普及している。
【０００３】
かかる携帯電子機器における撮像装置は、撮像素子が実装された配線基板と、各種制御（撮像した情報を電子データに変換する制御や、撮像した情報を転送する制御等）を行うための制御用の配線基板とを少なくとも備えている。
【０００４】
また、前記撮像装置は、携帯電子機器の小型化を図るために、前記複数の配線基板が重なり合わされて配置された状態で電気的に接続されている。そして、前記撮像装置は、複数の配線基板同士の接続強度を十分に確保するために、隣り合う配線基板同士が接着手段（基本として例えば、接着剤）によって強固に接着された状態になっている。
【先行技術文献】
【特許文献】
【０００５】
【特許文献１】特開２００４−９６７９７号公報
【特許文献２】特開２００３−２７３４９１号公報
【発明の概要】
【発明が解決しようとする課題】
【０００６】
ところで、前記撮像装置は、複数の配線基板の局所的な部分に不具合が発生した場合、複数の配線基板を個々の配線基板に分解する必要があるが、上述のように、複数の配線基板が接着部材で強固に接着されているため、複数の配線基板を個々の配線基板に分解することが困難であるうえに、複数の配線基板を個々の配線基板に分解できたとしても、該配線基板を損傷させてしまうことがあった。
【０００７】
そのため、前記撮像装置は、配線基板の局所的な部分に不具合が発生した場合でも、配線基板の全てを新たな配線基板に交換する必要があった。また、これに伴い、配線基板に設けられた撮像素子等の高価な素子についても当然に、不具合が発生しているか否かに関わらず、配線基板と共に新たな素子に交換されていた。
【０００８】
そのため、前記撮像装置及びこの撮像装置を備えた携帯電子機器には、不具合を解消するために必要以上にコストを費やさなければならないという問題があった。
【０００９】
そこで、本発明は、かかる実情に鑑み、複数の配線基板のそれぞれを再利用することのできる撮像装置及びこの撮像装置を備えた携帯電子機器を提供することを課題とする。
【課題を解決するための手段】
【００１０】
本発明に係る撮像装置は、上記の課題を解決するためになされたもので、重なり合う複数の配線基板と、レンズ鏡筒が一体化され又はレンズ鏡筒が取付けられ、前記複数の配線基板をレンズの光軸に対して直交するように挿入する挿入口、及び該挿入口に挿入された前記複数の配線基板の最上面と最下面とを弾性力で挟持する挟持手段を有するハウジングとを備え、前記複数の配線基板は、少なくとも隣り合う配線基板と対向する面に配線及びその配線に接続された電極部を有し、前記ハウジングの挿入口に前記複数の配線基板を挿入した状態で、挟持手段で前記複数の配線基板の最上面と最下面とを挟持することにより、隣り合う配線基板の電極部同士を接触させて電気的に接続することを特徴とする。
【００１１】
かかる構成の撮像装置によれば、挟持手段が挿入口から挿入された複数の配線基板の最上面と最下面とを挟持することによって、複数の配線基板が隣り合う配線基板の電極部同士を接触させた状態で固定することができる。そのため、本発明に係る撮像装置は、隣り合う配線基板同士を接着することなく電気的に接続した状態で固定することができる。
【００１２】
また、本発明に係る撮像装置は、複数の配線基板をハウジングから取り出すことで、配線基板同士の固定を解除することができるため、複数の配線基板を容易に、且つ損傷することなく個々の配線基板に分解することができる。
【００１３】
これにより、本発明に係る撮像装置は、複数の配線基板のうちの局所的な部分に不具合が発生した場合でも、不具合が発生した配線基板のみを交換することができるため、正常な配線基板については再利用することができる。
【００１４】
また、本発明に係る撮像装置においては、前記複数の配線基板のうち、前記レンズ鏡筒に最も近い配線基板、又は該配線基板の次に前記レンズ鏡筒に近い配線基板のいずれかには、撮像素子を設けることが好ましい。このようにすれば、撮像素子が最上面付近に位置にしているため、複数の配線基板をハウジングから取り出すことで、該撮像装置の保守作業を容易に行うことができる。
【００１５】
また、本発明に係る撮像装置においては、前記挟持手段は、挿入口から奥側へ前記複数の配線基板を挿入する経路中に、該複数の配線基板の最下面をガイドし、且つレンズの光軸方向における位置決めを行う下面ガイド部と、前記複数の配線基板の最上面を前記レンズの光軸方向に押圧する押圧部とを備えていてもよい。このようにすれば、ハウジングに挿入された複数の配線基板は、押圧部によって下面ガイド部に向けて押圧されるとともに、下面ガイド部によってレンズの光軸方向における位置決めが行なわれる。すなわち、複数の配線基板は、ハウジングへの出し入れを繰り返し行なっても、下面ガイド部を基準としてレンズの光軸方向における位置決めが行なわれるため、レンズ鏡筒との間隔を一定に保つことができる。
【００１６】
また、本発明に係る撮像装置においては、前記挟持手段は、前記ハウジングの挿入口から奥側へ前記複数の配線基板を挿入する経路中に、該複数の配線基板の最上面をガイドし、且つレンズの光軸方向における位置決めを行う上面ガイド部と、前記複数の配線基板の最下面を前記レンズの光軸方向に押圧する押圧部とを備えて構成されていてもよい。このようにすれば、ハウジングに挿入された複数の配線基板は、押圧部によって上面ガイド部に向けて押圧されるとともに、上面ガイド部によってレンズの光軸方向における位置決めが行なわれる。すなわち、複数の配線基板は、ハウジングへの出し入れを繰り返し行なっても、上面ガイド部を基準としてレンズの光軸方向における位置決めが行なわれるため、レンズ鏡筒との間隔を一定に保つことができる。
【００１７】
また、本発明に係る撮像装置においては、複数の配線基板の最上面に撮像素子を設け、前記挟持手段は、前記ハウジングの挿入口から奥側へ前記複数の配線基板を挿入する経路中に、該複数の配線基板の最下面をガイドし、且つレンズの光軸方向における位置決めを行う下面ガイド部と、前記複数の配線基板の最上面に替えて、撮像素子の上面を前記レンズの光軸方向に押圧する押圧部とを備えて構成されていてもよい。このようにすれば、撮像素子を介してハウジングに挿入された複数の配線基板は、押圧部によって下面ガイド部に向けて押圧される。すなわち、複数の配線基板は、ハウジングへの出し入れを繰り返し行なっても、下面ガイド部を基準としてレンズの光軸方向における位置決めが行なわれるため、レンズ鏡筒との間隔を一定に保つことができる。しかも、撮像素子は、押圧部によって配線基板に押圧された状態になるため、該配線基板との接続を強固にすることができる。
【００１８】
また、本発明に係る撮像装置においては、前記挟持手段の押圧部は、前記複数の配線基板に対して、該複数の配線基板の挿入方向に沿って面接触するように構成したものであってもよい。このようにすれば、押圧部は、配線基板と接触する部分が挿入方向に沿って分布するように構成されているため、振動等の影響によって配線基板に歪が生じることを防ぐことができるため、電極部同士の接続を強固にすることができる。
【００１９】
また、本発明に係る撮像装置においては、前記挟持手段の押圧部は、前記複数の配線基板に対して、該複数の配線基板の挿入方向に沿って点接触するように構成したものであってもよい。このようにすれば、複数の配線基板は、熱等の影響で膨張しても、押圧部との点接触している部分が挿入方向に沿って分布するように構成されているため、ハウジングから容易に取り出すことができる。
【００２０】
また、本発明に係る撮像装置においては、前記ハウジングは、前記複数の配線基板の一部の側面を当接する側面部と、該側面部に対向する位置に設けられ、前記一部の側面とは別の側面に部分的に付勢当接することにより、前記一部の側面を側面部に付勢当接する側面押圧部とを有するように構成してもよい。このようにすれば、複数の配線基板は、一部の側面が側面押圧部によってハウジングの側面部に当接されるため、レンズの光軸方向に直交する平面上における位置決めが行なわれる。そのため、かかる構成の撮像装置は、レンズの光軸と撮像素子の中心部とを容易に一致させることができる。また、かかる構成の撮像装置は、撮像素子の中心部がレンズの光軸からずれることを防ぐことができる。
【００２１】
また、本発明に係る撮像装置においては、前記複数の配線基板の重ね合わせられた電極部間の接触圧力が４．９Ｎ乃至１９．６Ｎとなるように構成してもよい。このようにすれば、配線基板に設けられた電極部同士の接続を確実にすることができる。
【００２２】
また、本発明に係る撮像装置においては、前記複数の配線基板の重ね合わせられて互いに接触する電極部のうち、一方の電極部の表面積が他方の電極部の表面積よりも大きくなるように構成してもよい。このようにすれば、組立て誤差が生じたり、配線基板が熱膨張したりすることによって、一方又は他方の電極部の位置が所定の位置から変位しても、一方の電極部の表面積が他方の電極部の表面積よりも大きくなるように構成されているため、電極部同士を確実に接触させることができる。
【００２３】
そして、本発明に係る携帯電子機器は、上記撮像装置を備えたことを特徴とする。これにより、複数の配線基板の局所的な部分に不具合が発生したとしても、配線基板を損傷することなく個々の配線基板に分解することができるため、不具合が発生していない配線基板を再利用することができる。
【発明の効果】
【００２４】
以上のように、本発明の撮像装置及びこの撮像装置を備えた携帯電子機器によれば、前記配線基板のそれぞれを再利用することができるという優れた効果を奏し得る。
【図面の簡単な説明】
【００２５】
【図１】本発明の一実施形態に係る撮像装置を示す斜視図
【図２】同実施形態に係る撮像装置を斜め下方から見た斜視図
【図３】同実施形態に係る撮像装置を示す平面図
【図４】図３におけるＡ−Ａ線断面を示す断面図
【図５】同実施形態に係る撮像装置の上側配線基板を示し、（ａ）はその平面図、（ｂ）は下面図
【図６】同実施形態に係る撮像装置の下側配線基板を示し、（ａ）はその平面図、（ｂ）は下面図
【発明を実施するための形態】
【００２６】
以下、本発明の一実施形態について、添付図面を参照しながら説明する。
【００２７】
本実施形態に係る撮像装置は、平面視した縦横サイズが５ｍｍ（厚みは５ｍｍ以下）〜１０ｍｍ（厚みは１０ｍｍ以下）であって、デジタルカメラや携帯電話等の携帯電子機器に組み込まれるものであり、図１から図４に示す如く、重なり合う複数の配線基板（以下、基板ユニットとする）６と、レンズ鏡筒５が一体化され又はレンズ鏡筒５が取付けられたハウジング２とを備えるものである。
【００２８】
ハウジング２は、例えば、樹脂材で形成され、基板ユニット６を挿入可能なハウジング本体２０と、該ハウジング本体２０に挿入された基板ユニット６を挟持するための挟持手段２６とを備えている。また、ハウジング２は、挿入された基板ユニット６の光軸方向に直交する方向における位置決めを行うための側面押圧部２７を備えている。
【００２９】
なお、レンズ鏡筒５は、例えば、樹脂材で形成され、上述のようにハウジング２に一体化されていても、ハウジング２と別体で構成されていてもよいが、本実施形態においては、レンズ鏡筒５がハウジング２に一体化されていることを前提として説明を行う。
【００３０】
ハウジング本体２０は、立方体状に形成され、挿入方向（基板ユニット６を挿入する方向）における一端面側（前面側）、及び光軸方向（レンズの光軸方向）における一端面側（下面側）が開口されている。すなわち、ハウジング本体２０は、上面部２１と、該上面部２１の挿入方向と直交する方向における端部に連設された一対の側面部２２ａ，２２ｂと、該上面部２１の挿入方向における一端部に連設された背面部２３とを備えている。
【００３１】
また、ハウジング本体２０は、上面部２１と側面部２２ａ，２２ｂとが形成する角部２４，２４のそれぞれの前面側に、後述する押圧部２６０を支持し、かつ基板ユニット６の最上面を案内するための一対の案内部材２５，２５を備えている。
【００３２】
ハウジング本体２０の上面部２１は、一方の側面部２２ａ側に穿設された貫通穴２１０と、他方の側面部２２ｂ側に形成された第一切欠部２１１とを有している。該貫通穴２１０は、前記挿入方向に沿って長手をなした矩形状に形成されている。また、第一切欠部２１１は、上面部２１の他方の側面部２２ｂ側が、挿入方向に沿って長手をなした矩形状に切除されることによって形成されている。
【００３３】
そして、上面部２１は、レンズ鏡筒５を取付けるための挿着穴２１２（図４参照）が穿設されている。さらに、上面部２１は、該挿着穴２１２を画定する部分に、後述するアウタホルダ５２が一体的に取付けられている。
【００３４】
他方の側面部２２ｂ（上面部２１の第一切欠部２１１が形成されている端部に連設されている側面部２２ｂ）は、第二切欠部２２０が形成されている。該第二切欠部２２０は、側面部２２ｂの上端側に前記挿入方向に沿って長手をなした矩形状に形成されている。また、第二切欠部２２０は、第一切欠部２１１と一体的になるように構成されている。そして、側面部２２ｂは、側面押圧部２７を取付けるための、取付凹部２２１が形成されている。該取付凹部２２１は、前記側面部２２ｂに前記光軸方向に沿って形成された凹部によって構成されている。
【００３５】
挟持手段２６は、基板ユニット６の最上面を前記光軸方向に押圧するための押圧部２６０と、基板ユニット６の最下面をガイドし、且つ前記光軸方向における位置決めを行う下面ガイド部２６１とを備えている。また、挟持手段２６は、対向する電極部同士の接触圧力が４．９Ｎ〜１９．６Ｎとなるように、押圧部２６０の押圧力が設定されている。
【００３６】
なお、押圧部２６０の押圧力については、接触圧力が６．８Ｎ〜９．８Ｎとなるように設定されていることがより好ましい。
【００３７】
押圧部２６０は、例えば、前記挿入方向に長手をなして形成され、一端が背面部２３に設けられ、他端が前記案内部材２５に設けられている。さらに、押圧部２６０は、一端部側、及び他端部側が屈曲し、前記挿入方向に沿って延びつつ、中心部と両端部とが光軸方向に対して異なる位置で直交する直線状で延びるように形成されている。これにより、押圧部２６０は、弾性を有し、基板ユニット６の最上面に対して前記挿入方向に沿って面接触できるように構成されている。
【００３８】
また、本実施形態においては、押圧部２６０はハウジング本体２０に一対設けられて一体形成されている。これに伴い、案内部材２５についても、同様にハウジング本体２０に一対設けられて一体形成されている。
【００３９】
そして、本実施形態に係る一対の押圧部２６０、２６０は、側面部２２ａ，２２ｂの近傍にそれぞれ配置されている。さらに、側面部２２ａ側に設けられた一方の押圧部２６０は、貫通穴２１０と光軸方向において同一直線上に位置するように配置される。すなわち、本実施形態に係る撮像装置１は、ハウジング本体２０における、一方の押圧部２６０の上部と対向する部分と、その近傍の部分が開放された状態になっている（図３参照）。
【００４０】
また、側面部２２ｂ側に設けられた他方の押圧部２６０は、第一切欠部２１１と光軸方向における同一直線上で、且つ第二切欠部２２０よりもハウジング本体２０の内側となる位置に配置される。すなわち、本実施形態に係る撮像装置１は、ハウジング本体２０における、他方の押圧部２６０の上部と対向する部分と、その近傍の部分が開放された状態になっている（図３参照）。
【００４１】
ハウジング本体２０の下面ガイド部２６１は、側面部２２ａ，２２ｂのそれぞれの下端部をハウジング２の内部に向けて折り曲げることによって形成されている。
【００４２】
ハウジング本体２０の側面押圧部２７は、側面部２２ｂに一体的に取付けられている。具体的には、側面押圧部２７は、突片状に形成されている。そして、側面押圧部２７は、基端部が取付凹部２２１に一体的に取付けられることにより、可撓性（弾性）を有する。また、側面押圧部２７は、先端部にハウジング本体２０の内面に向かって膨らむ突起部２７０が形成されている。
【００４３】
レンズ鏡筒５は、図４に示す如く、後述する撮像素子６００に被写体から発せられる光を導くためのレンズ５０と、該レンズ５０を保持するためのレンズホルダ５１と、レンズホルダ５１をハウジング２に固定するためのアウタホルダ５２とを備えている。
【００４４】
基板ユニット６は、基板の枚数を特に問うものではないが、本実施形態においては、撮像素子６００が実装された上側配線基板６０と、携帯電子機器の制御部と接続するためのコネクタ６１０が実装された下側配線基板６１との二枚の基板を用いることを前提として説明する。
【００４５】
上側配線基板６０は、図５に示す如く、光軸方向における一方の面に撮像素子６００が取付けられている。また、上側配線基板６０は、他方の面に電極部６０１，…が設けられており、挿入方向に直交する方向における両端部側に、前記挿入方向に沿って複数設けられている。そして、上側配線基板６０は、側面（ハウジング２に挿入したときに、ハウジング本体２０の側面押圧部２７の突起部２７０と接触することになる側面）に第一側面凹部６０２が設けられており、ハウジング２に挿入したときに、側面押圧部２７の突起部２７０が嵌合する、つまり、側面押圧部２７は、第一側面凹部６０２の台形状の傾斜面を押圧し、対向する位置にある側面部２２ａと背面部２３に基板ユニット６を位置決めするように構成されている。なお、上側配線基板６０については、撮像素子６００のみが搭載されていることを前提として説明するが、その他の素子も搭載できることは言うまでもない。
【００４６】
下側配線基板６１は、図６に示す如く、光軸方向における一方の面に携帯電子機器等と電気的に接続可能なコネクタ６１０が取付けられている。また、前記下側配線基板６１は、一方の面に電極部６１１，…が設けられている。そして、下側配線基板６１は、一方の面に上側配線基板６０の他方の面を重ねて配置したときに、電極部６１１，…が、上側配線基板６０の電極部６０１，…と接触するように構成されている。そして、下側配線基板６１は、側面（ハウジング２に挿入したときに、ハウジング本体２０の側面押圧部２７と接触することになる側面）に第二側面凹部６１２が設けられており、ハウジング２に挿入したときに、側面押圧部２７の突起部２７０が嵌合するように構成されている。また、該第二側面凹部６１２は、上側配線基板６０と下側配線基板６１とを重ね合わせることによって、第一側面凹部６０２と一体となり、一つの凹部を形成するように構成されている。      
【００４７】
なお、下側配線基板６１についても、コネクタ６１０のみが搭載されていることを前提として説明するが、その他の素子も搭載できることは言うまでもない。
【００４８】
本実施形態に係る撮像装置１についての説明は以上であり、続いて基板ユニット６の組付け作業、及び交換作業について説明する。
【００４９】
まず、基板ユニット６のハウジング２への組付け作業について説明すると、上側配線基板６０と下側配線基板６１とが、互いの電極部６０１，…，６１１，…が設けられた側の面を対向するようにして重ね合わされる。これにより、上側配線基板６０と下側配線基板６１とは、図４に示す如く、電極部６０１，…，６１１，…を介して電気的に接続された状態になる。なお、本実施形態では、上側配線基板６０と下側配線基板６１とを重ね合わせたものを基板ユニット６として以降説明を行う。
【００５０】
そして、基板ユニット６は、前記挿入口からハウジング２の内部に挿入され、これに伴い、押圧部２６０によって最上面が最下面側に向けて押圧される。このとき、基板ユニット６は、最下面が下面ガイド部２６１によって支えられた状態になっているため、光軸方向において位置決めされた状態になる。
【００５１】
さらに、ハウジング２に挿入された基板ユニット６は、図３に示すようにハウジング本体２０の側面押圧部２７によって第一側面凹部６０２、及び第二側面凹部６１２が押圧される。このとき、側面押圧部２７は、対向する位置にある側面部２２ａと背面部２３とが形成する角部に向けて基板ユニット６を押圧する。これにより、ハウジング２に挿入された基板ユニット６は、該角部を基準として（すなわち、側面部２２ａと背面部２３の直交二面を基準として）、光軸方向に直交する方向において位置決めされた状態になる。
【００５２】
本実施形態に係る撮像装置１は、以上のようにして、ハウジング２に基板ユニット６が組み付けられる。
【００５３】
続いて、前記基板ユニット６の交換作業について説明する。なお、本実施形態では、交換作業の一例として、下側配線基板６１の交換作業について説明する。
【００５４】
本実施形態に係る基板ユニット６は、上述のように、上側配線基板６０と下側配線基板６１とを重ね合わせているだけであるため、ハウジング２から引き抜くだけで上側配線基板６０と下側配線基板６１とを分解することができる。
【００５５】
そして、下側配線基板６１を新たなものに取り替え、再び構成した基板ユニット６をハウジング２に挿入することで下側配線基板６１の交換作業が完了する。
【００５６】
以上のように、本実施形態に係る撮像装置１は、上側配線基板６０と下側配線基板６１とを重ね合わせた状態で上側配線基板６０の上面と下側配線基板６１の下面とを挟持手段２６によって挟持しているため、上側配線基板６０と下側配線基板６１とを損傷させることなく個々に分解することができる。従って、本実施形態に係る撮像装置１は、少なくとも、ハウジング２内に挿入される基板ユニット６を構成する前記配線基板６０，６１のそれぞれを再利用することができるという優れた効果を奏し得る。なお、当然ではあるが、前記配線基板６０，６１以外に、不具合になった、レンズ５０、レンズホルダ５１、ハウジング本体２０等の別体部品も交換可能である。
【００５７】
また、挿入された上側配線基板６０と下側配線基板６１とは、挟持手段２６によって光軸方向における位置が決定され、側面押圧部２７によって光軸方向に直交する方向における位置が決定される。すなわち、撮像装置１は、上側配線基板６０と下側配線基板６１とをハウジング２に挿入するだけで、レンズ鏡筒５との位置合わせが完了する。
【００５８】
尚、本発明の撮像装置は、上記実施形態に限定されるものではなく、本発明の要旨を逸脱しない範囲において種々変更を行うことは勿論である。
【００５９】
上記実施形態では、ハウジング本体２０に側面押圧部２７、押圧部２６０等が樹脂材料を用いて一体成型されたもので説明したが、例えば、側面押圧部２７、押圧部２６０等が樹脂材料又は金属材料等を用いて別体部品として接着、溶着等により設けてもよい。前記別体部品で構成すれば、ハウジング本体２０の上面に貫通孔２１０、第一切欠部２１１及び第二切欠部２２０が不要となりハウジング本体２０内部ごみ等の進入を抑制することができる。
【００６０】
また、上記実施形態において、撮像素子は、上側配線基板６０に設けていたが、これに限定されるものではなく、例えば、下側配線基板６１に設けてもよい。なお、このようにする場合、例えば、上側配線基板６０の撮像素子６００と対向する部分に開口部を穿設する等して、撮像装置１とレンズ鏡筒５とが対向した状態になるようにしなければならない。
【００６１】
また、上記実施形態において、挟持手段２６は、基板ユニット６の最上面を押圧部２６０が押圧し、最下面を下面ガイド部２６１がガイドするように構成していたが、これに限定されるものではなく、例えば、基板ユニット６の最下面を押圧するように押圧部を構成し、最上面をガイドする上面ガイド部を設けるようにしてもよい。そして、下面ガイド部２６１は、例えば、ハウジング２の一対の側面部２２ａ，２２ｂを予め長くして、その下部側を熱カシメ等で変形させて形成することができる。この場合、熱カシメ等で下面ガイド部２６１の光軸方向の位置を調整できるので、例えば、前記配線基板６０の厚み、又は前記配線基板６０の枚数が変化しても、ある程度１つのハウジングで対応でき、ハウジングの共有化が可能になる。
【００６２】
また、上記実施形態において、押圧部２６０は、基板ユニット６の最上面を押圧するように構成されていたが、これに限定されるものではなく、例えば、撮像素子６００を直接押圧するように構成してもよい。
【００６３】
また、上記実施形態において、押圧部２６０は、基板ユニット６の最上面と面接触するように構成されていたが、これに限定されるものではなく、例えば、前記基板ユニット６の最上面と挿入方向に沿って点接触するように構成してもよい。
【００６４】
また、上記実施形態において、電極部６０１，…，６１１，…の大きさについては特に言及しなかったが、基板ユニット６の重ね合わせられて互いに接触する電極部６０１，…，６１１，…のうち、一方の電極部６０１，…の表面積が他方の電極部６１１，…の表面積よりも大きくなるように構成してもよい。なお、電極部６１１，…を電極部６０１，…より大きくしてもいいことは言うまでもない。
【産業上の利用可能性】
【００６５】
本発明の撮像装置及びこれを備えた携帯電子機器は、重なり合う複数の配線基板と、レンズ鏡筒が一体化され又はレンズ鏡筒が取付けられ、前記複数の配線基板をレンズの光軸に対して直交するように挿入する挿入口、及び該挿入口に挿入された前記複数の配線基板の最上面と最下面とを弾性力で挟持する挟持手段を有するハウジングとを備え、前記複数の配線基板は、少なくとも隣り合う配線基板と対向する面に配線及びその配線に接続された電極部を有し、前記ハウジングの挿入口に前記複数の配線基板を挿入した状態で、挟持手段で前記複数の配線基板の最上面と最下面とを挟持することにより、隣り合う配線基板の電極部同士を接触させて電気的に接続することによって、前記配線基板のそれぞれを再利用することが必要な用途にも適用できる。
【符号の説明】
【００６６】
１  撮像装置
２  ハウジング
５  レンズ鏡筒
６  基板ユニット
２２ａ，２２ｂ  側面部
２３  背面部
２６  挟持手段
２７  側面押圧部
５０  レンズ
６０  上側配線基板
６１  下側配線基板
２６０  押圧部
２６１  下面ガイド部
６００  撮像素子
６０１  電極部
６１１  電極部
【図１】
2012165304.tif 000003
【図２】
2012165304.tif 000004
【図３】
2012165304.tif 000005
【図４】
2012165304.tif 000006
【図５】
2012165304.tif 000007
【図６】
2012165304.tif 000008